【手続補正書】
【提出日】平成18年4月11日(2006.4.11)
【手続補正１】
【補正対象書類名】明細書
【補正対象項目名】特許請求の範囲
【補正方法】変更
【補正の内容】
【特許請求の範囲】
【請求項１】
ディスク状ホィールの刃先稜線に当該ホィールの軸心方向に対して所定角度傾斜させた溝を所定のピッチで形成したガラスカッターホィールを用いることにより、傾斜した深い垂直クラックが形成されたガラス板に対して閉曲線領域を切り抜くためのブレイク装置であって、
中央部に凹部を形成したテーブル(２)と、そのテーブルにセットされたガラス板に上記ガラスカッターホィールにより、垂直クラックが外側方向に傾くよう閉曲線スクライブされた領域を上方から所定圧で押下させるヘッダー(５１)とを備えたことを特徴とするブレイク装置。
【請求項２】
ディスク状ホィールの刃先稜線に当該ホィールの軸心方向に対して所定角度傾斜させた溝を所定のピッチで形成したガラスカッターホィールを用いることにより、傾斜した深い垂直クラックが形成されたガラス板に対して閉曲線領域を切り抜くためのブレイク装置であって、
中央部に凹部を形成したテーブルと、前記凹部を減圧させるための減圧手段とを備え、
そのテーブルにセットされたガラス板に上記ガラスカッターホィールにより、垂直クラックが外側方向に傾くよう閉曲線スクライブされた領域を、前記凹部の減圧によって切り抜くことを特徴とするブレイク装置。
【請求項３】
ディスク状ホィールの刃先稜線に当該ホィールの軸心方向に対して所定角度傾斜させた溝を所定のピッチで形成したガラスカッターホィールを用いることにより、傾斜した深い垂直クラックが形成されたガラス板に対して閉曲線領域を切り抜くためのブレイク装置であって、
中央部に凹部を形成したテーブル(２)と、ガラス板をテーブルに固定する固定手段と、そのテーブルにセットされたガラス板に上記ガラスカッターホィールにより、垂直クラックが内側方向に傾くよう閉曲線スクライブされた領域を、上方に持ち上げるための吸盤(５２)とを備えたことを特徴とするブレイク装置。
【請求項４】
ディスク状ホィールの刃先稜線に当該ホィールの軸心方向に対して所定角度傾斜させた溝を所定のピッチで形成したガラスカッターホィールを用いることにより、傾斜した深い垂直クラックが形成されたガラス板に対して閉曲線領域を切り抜くためのブレイク装置であって、
中央部に凹部(２ｂ)を形成し、その凹部の中央部に別の凹部(２ｂ')を形成したテーブル(２Ｃ)と、上記ガラスカッターホィールにより、両垂直クラックが共に外側方向に傾くよう同心円にスクライブされたテーブル上のガラス板に対し、上方から所定圧で押下して、外側のスクライブラインの個所で切り抜き、前記凹部(２ｂ)へ落下させる第１のヘッダー(５３)と、前記切り抜かれた円形のガラス板に対し、内側のスクライブラインの個所で切り抜き、前記凹部(２ｂ')へ落下させる第２のヘッダー(５５)とを備えたことを特徴とするブレイク装置。
【請求項５】
上記第１のヘッダー(５３)に付勢手段(５４)を介して第２のヘッダー(５５)に設け、第１のヘッダー(５３)の降下に追随して第２のヘッダー(５５)も降下する機構とすることにより、上記２つの切抜き作業を続けて行なえるようにした請求項４記載のブレイク装置。
【請求項６】
ディスク状ホィールの刃先稜線に当該ホィールの軸心方向に対して所定角度傾斜させた溝を所定のピッチで形成したガラスカッターホィールを用いることにより、傾斜した深い垂直クラックが形成されたガラス板に対して閉曲線領域を切り抜くためのブレイク装置であって、
中央部に凹部(２ｂ)を形成し、その凹部の中央部に凸部(２ｇ)を形成したテーブル(２Ｄ)と、上記ガラスカッターホィールにより、垂直クラックが外側方向に傾く外円のスクライブと、垂直クラックが内側方向に傾く内円のスクライブとを行ったテーブル上のガラス板に対し、外円と内円の間の領域に対して所定圧で押下して切り抜くヘッダー(５６)とを備えたことを特徴とするブレイク装置。
【請求項７】
ディスク状ホィールの刃先稜線に当該ホィールの軸心方向に対して所定角度傾斜させた溝を所定のピッチで形成したガラスカッターホィールを用いることにより、傾斜した深い垂直クラックが形成されたガラス板に対して閉曲線領域を切り抜くためのブレイク装置であって、
下面中央部に凸部(５７ａ)を形成し、その凸部以外の下面には吸引穴(５７ｂ)を設けたヘッダー(５７)と、中央部に凹部(２ｂ)を形成したテーブル(２)とを備え、
前記ヘッダー(５７)の下降により前記凸部(５７ａ)でガラス板に対して内側の垂直クラックに沿って切り抜き、次いで上記吸引穴(５７ｂ)によりガラス板をヘッダー(５７)に吸引した状態でヘッダー(５７)を上昇させることにより、外側の垂直クラックに沿って切り抜くことを特徴とするブレイク装置。
【請求項８】
ディスク状ホィールの刃先稜線に当該ホィールの軸心方向に対して所定角度傾斜させた溝を所定のピッチで形成したガラスカッターホィールを用いることにより、傾斜した深い垂直クラックが形成されたガラス板に対して閉曲線領域を切り抜くためのブレイク方法であって、
中央部に凹部を形成したテーブル(２)を備え、そのテーブルにセットされたガラス板に上記ガラスカッターホィールにより、垂直クラックが外側方向に傾くよう閉曲線スクライブされた領域を上方からヘッダー(５１)を所定圧で押下させることを特徴とするブレイク方法。
【請求項９】
ディスク状ホィールの刃先稜線に当該ホィールの軸心方向に対して所定角度傾斜させた溝を所定のピッチで形成したガラスカッターホィールを用いることにより、傾斜した深い垂直クラックが形成されたガラス板に対して閉曲線領域を切り抜くためのブレイク方法であって、
中央部に凹部を形成したテーブルと、前記凹部を減圧させるための減圧手段とを備え、そのテーブルにセットされたガラス板に上記ガラスカッターホィールにより、垂直クラックが外側方向に傾くよう閉曲線スクライブされた領域を、前記凹部の減圧によって切り抜くことを特徴とするブレイク方法。
【請求項１０】
ディスク状ホィールの刃先稜線に当該ホィールの軸心方向に対して所定角度傾斜させた溝を所定のピッチで形成したガラスカッターホィールを用いることにより、傾斜した深い垂直クラックが形成されたガラス板に対して閉曲線領域を切り抜くためのブレイク方法であって、
中央部に凹部を形成したテーブル(２)と、ガラス板をテーブルに固定する固定手段と、吸盤(５２)とを備え、そのテーブルにセットされたガラス板に上記ガラスカッターホィールにより、垂直クラックが内側方向に傾くよう閉曲線スクライブされた領域を、吸盤(５２)で上方に持ち上げることを特徴とするブレイク方法。
【請求項１１】
ディスク状ホィールの刃先稜線に当該ホィールの軸心方向に対して所定角度傾斜させた溝を所定のピッチで形成したガラスカッターホィールを用いることにより、傾斜した深い垂直クラックが形成されたガラス板に対して閉曲線領域を切り抜くためのブレイク方法であって、
中央部に凹部(２ｂ)を形成し、その凹部の中央部に別の凹部(２ｂ')を形成したテーブル(２Ｃ)を備え、上記ガラスカッターホィールにより、両垂直クラックが共に外側方向に傾くよう同心円にスクライブされたテーブル上のガラス板に対し、第１のヘッダー(５３)を用いて、上方から所定圧で押下して、外側のスクライブラインの個所で切り抜き、前記凹部(２ｂ)へ落下させ、そして、前記切り抜かれた円形のガラス板に対し、第２のヘッダー(５５)を用いて、内側のスクライブラインの個所で切り抜き、前記凹部(２ｂ')へ落下させることを特徴とするブレイク方法。
【請求項１２】
ディスク状ホィールの刃先稜線に当該ホィールの軸心方向に対して所定角度傾斜させた溝を所定のピッチで形成したガラスカッターホィールを用いることにより、傾斜した深い垂直クラックが形成されたガラス板に対して閉曲線領域を切り抜くためのブレイク方法であって、
中央部に凹部(２ｂ)を形成し、その凹部の中央部に凸部(２ｇ)を形成したテーブル(２Ｄ)を備え、上記ガラスカッターホィールにより、垂直クラックが外側方向に傾く外円のスクライブと、垂直クラックが内側方向に傾く内円のスクライブとを行ったテーブル上のガラス板に対し、ヘッダー(５６)を用いて、外円と内円の間の領域に対して所定圧で押下して切り抜くことを特徴とするブレイク方法。
【請求項１３】
ディスク状ホィールの刃先稜線に当該ホィールの軸心方向に対して所定角度傾斜させた溝を所定のピッチで形成したガラスカッターホィールを用いることにより、傾斜した深い垂直クラックが形成されたガラス板に対して閉曲線領域を切り抜くためのブレイク方法であって、
下面中央部に凸部(５７ａ)を形成し、その凸部以外の下面には吸引穴(５７ｂ)を設けたヘッダー(５７)と、中央部に凹部(２ｂ)を形成したテーブル(２)とを備え、
前記ヘッダー(５７)の下降により前記凸部(５７ａ)でガラス板に対して内側の垂直クラックに沿って切り抜き、次いで上記吸引穴(５７ｂ)によりガラス板をヘッダー(５７)に吸引した状態でヘッダー(５７)を上昇させることにより、外側の垂直クラックに沿って切り抜くことを特徴とするブレイク方法。
【手続補正２】
【補正対象書類名】明細書
【補正対象項目名】０００１
【補正方法】変更
【補正の内容】
【０００１】
【発明の属する技術分野】
本発明は、ガラス板にスクライブされた閉曲線の領域を切り抜くためのブレイク装置およびブレイク方法に関する。
【手続補正３】
【補正対象書類名】明細書
【補正対象項目名】０００７
【補正方法】変更
【補正の内容】
【０００７】
本出願人は、傾斜した深い垂直クラックの得られる新規なガラススクライバーを本出願と同一日に別途出願しており、そのガラススクライバーでスクライブされたガラス板に対し、閉曲線領域を切り抜くのに適したブレイク装置およびブレイク方法を提供することを目的とする。